【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
（Ａ）少なくとも反応性シリル基を有するポリマーと；
（Ｂ）架橋剤または鎖伸長剤と；
（Ｃ）チオ尿素含有化合物を含む縮合促進剤と
を含む硬化性ポリマー組成物を形成するための組成物。
【請求項２】
該チオ尿素含有化合物が、式（６）：
【化１】
2016522308.tif 000001
［式中、Ｒ9、Ｒ10、Ｒ11およびＲ12は、水素、直鎖もしくは分岐アルキル、直鎖もしくは分岐ヘテロアルキル、シクロアルキル、ヘテロシクロアルキル、アリール、ヘテロアリール、直鎖もしくは分岐アラルキル、直鎖もしくは分岐ヘテロアラルキル、直鎖もしくは分岐シリコン含有アルキル、直鎖もしくは分岐シリコン含有ヘテロアルキル、シリコン含有シクロアルキル、シリコン含有ヘテロシクロアルキル、シリコン含有アリール、シリコン含有ヘテロアリール、直鎖もしくは分岐シリコン含有アラルキル、直鎖もしくは分岐シリコン含有ヘテロアラルキル、直鎖もしくは分岐シリコン含有アルキルアリール、直鎖もしくは分岐シリコン含有ヘテロアルキルアリール、直鎖もしくは分岐シリコン含有アルキルアリール、直鎖もしくは分岐シリコン含有ヘテロアルキルアリール、Ｒ9−Ｒ10、Ｒ11−Ｒ12もしくはＲ10−Ｒ11によって形成されたアルキルもしくはアラルキル架橋、またはその２種以上の組み合わせから独立して選ばれる。］の化合物を含む、請求項１に記載の組成物。
【請求項３】
該チオ尿素含有化合物が、
（ｉ）式（６ａ）：
【化２】
2016522308.tif 000002
［式中、Ｒ9、Ｒ10およびＲ11は、水素、直鎖もしくは分岐アルキル、直鎖もしくは分岐ヘテロアルキル、シクロアルキル、ヘテロシクロアルキル、アリール、ヘテロアリール、直鎖もしくは分岐アラルキル、直鎖もしくは分岐ヘテロアラルキル、直鎖もしくは分岐シリコン含有アルキル、直鎖もしくは分岐シリコン含有ヘテロアルキル、シリコン含有シクロアルキル、シリコン含有ヘテロシクロアルキル、シリコン含有アリール、シリコン含有ヘテロアリール、直鎖もしくは分岐シリコン含有アラルキル、直鎖もしくは分岐シリコン含有ヘテロアラルキル、直鎖もしくは分岐シリコン含有アルキルアリール、直鎖もしくは分岐シリコン含有ヘテロアルキルアリール、Ｒ9−Ｒ10、Ｒ10−Ｒ11によって形成されたアルキルもしくはアラルキルもしくはアラルキル架橋、またはその２種以上の組み合わせから独立して選ばれ；Ｒ13は二価連結基から選ばれ；ｎは０〜１００である。］から選択される化合物、
（ｉｉ）式（６ｂ）：
【化３】
2016522308.tif 000003
［式中、Ｒ9、Ｒ10およびＲ11は、水素、直鎖もしくは分岐アルキル、直鎖もしくは分岐ヘテロアルキル、シクロアルキル、ヘテロシクロアルキル、アリール、ヘテロアリール、直鎖もしくは分岐アラルキル、直鎖もしくは分岐ヘテロアラルキル、直鎖もしくは分岐シリコン含有アルキル、直鎖もしくは分岐シリコン含有ヘテロアルキル、シリコン含有シクロアルキル、シリコン含有ヘテロシクロアルキル、シリコン含有アリール、シリコン含有ヘテロアリール、直鎖もしくは分岐シリコン含有アラルキル、直鎖もしくは分岐シリコン含有ヘテロアラルキル、直鎖もしくは分岐シリコン含有アルキルアリール、直鎖もしくは分岐シリコン含有ヘテロアルキルアリール、Ｒ9−Ｒ10、Ｒ10−Ｒ11によって形成されたアルキルもしくはアラルキル架橋、またはその２種以上の組み合わせから独立して選ばれ；Ｒ13は二価連結基から選ばれ；ｔは０〜１００である。］から選択される化合物、又は
（ｉｉｉ）式（６ｃ）：
【化４】
2016522308.tif 000004
［式中、Ｒ9、Ｒ10およびＲ11は、水素、直鎖もしくは分岐アルキル、直鎖もしくは分岐ヘテロアルキル、シクロアルキル、ヘテロシクロアルキル、アリール、ヘテロアリール、直鎖もしくは分岐アラルキル、直鎖もしくは分岐ヘテロアラルキル、直鎖もしくは分岐シリコン含有アルキル、直鎖もしくは分岐シリコン含有ヘテロアルキル、シリコン含有シクロアルキル、シリコン含有ヘテロシクロアルキル、シリコン含有アリール、シリコン含有ヘテロアリール、直鎖もしくは分岐シリコン含有アラルキル、直鎖もしくは分岐シリコン含有ヘテロアラルキル、直鎖もしくは分岐シリコン含有アルキルアリール、直鎖もしくは分岐シリコン含有ヘテロアルキルアリール、Ｒ9−Ｒ10、Ｒ10−Ｒ11によって形成されたアルキルもしくはアラルキル架橋、またはその２種以上の組み合わせから独立して選ばれ；Ｒ13は二価連結基から選ばれ；ｂ＋ａは３である。］から選択される化合物である、請求項１に記載の組成物。
【請求項４】
ｎが１である、請求項３に記載の組成物。
【請求項５】
ｎが０〜１００であり、Ｒ9−Ｒ12が、Ｃ1〜Ｃ6アルキル基から独立して選ばれ、または、窒素原子のＲ9およびＲ10の対の少なくとも１つがＣ2−Ｃ3アルキル架橋を形成する、請求項３に記載の組成物。
【請求項６】
該チオ尿素含有化合物が、式（６ｄ）；（６ｅ）；又は（６ｆ）：
【化５】
2016522308.tif 000005
【化６】
2016522308.tif 000006
【化７】
2016522308.tif 000007
から選ばれる化合物を含む、請求項１に記載の組成物。
【請求項７】
該ポリマー（Ａ）１００重量部当たり約０．００１〜約１０重量部の促進剤（Ｃ）を含む、請求項１に記載の組成物。
【請求項８】
成分１００部当たり約０．１〜約５重量部の促進剤（Ｃ）を含む、請求項１に記載の組成物。
【請求項９】
該促進剤（Ｃ）がスズを実質的に含まない、請求項１に記載の組成物。
【請求項１０】
該促進剤（Ｃ）が、金属促進剤のブレンド、金属促進剤の塩、カルボン酸、アルキルスルホン酸、アリールスルホン酸、無機酸、アミン、グアニジン、アミジン、無機塩基、またはその２種以上の組み合わせをさらに含む、請求項１に記載の組成物。
【請求項１１】
該ポリマー（Ａ）が、式（１）：
［Ｒ1aＲ23-aＳｉ−Ｚ−］n−Ｘ−Ｚ−ＳｉＲ1aＲ23-a（１）
［式中、Ｘは、ポリウレタン；ポリエステル；ポリエーテル；ポリカルボナート；ポリオレフィン；ポリエステルエーテル；ならびにＲ3ＳｉＯ1/2、Ｒ2ＳｉＯ、ＲＳｉＯ3/2および／またはＳｉＯ2の単位を有するポリオルガノシロキサンから選ばれ；ｎは０〜１００であり；ａは０〜２であり；Ｒ1は、同じＳｉ原子で同一でも異なっていてもよく、Ｃ1−Ｃ10アルキル；１個もしくは複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ぶことができ；Ｒ2は、ＯＨ、Ｃ1−Ｃ8アルコキシ、Ｃ2−Ｃ18アルコキシアルキル、オキシモアルキル、エノキシアルキル、アミノアルキル、カルボキシアルキル、アミドアルキル、アミドアリール、カルバマトアルキル、またはその２種以上の組み合わせから選ばれ；Ｚは、結合、Ｃ1−Ｃ8アルキレンまたはＯの群から選択される二価単位である。］を有する、請求項１に記載のポリマー組成物。
【請求項１２】
該ポリマー成分（Ａ）が、式（２）：
Ｒ23-cＲ1cＳｉ−Ｚ−［Ｒ2ＳｉＯ］p［Ｒ12ＳｉＯ］q−Ｚ−ＳｉＲ1cＲ23-c（２）
［式中、Ｒ1は同じＳｉ原子で同一でも異なっていてもよく、Ｃ1−Ｃ10アルキル；１個または複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ぶことができ；Ｒ2は、ＯＨ、Ｃ1−Ｃ8アルコキシ、Ｃ2−Ｃ18アルコキシアルキル、オキシモアルキル、エノキシアルキル、アミノアルキル、カルボキシアルキル、アミドアルキル、アミドアリール、カルバマトアルキル、またはその２種以上の組み合わせから選ばれ；Ｚは、結合、Ｃ1−Ｃ8アルキレンまたはＯの群から選択される二価単位であり；ＲはＣ1−Ｃ6アルキル（例示のアルキルはメチルである）であり；ｐは０〜約１０，０００、一実施形態においては、１１〜約２５００であり；ｑは０〜約１０，０００であり；好ましくは０〜５００である。一実施形態において、式（２）の化合物中のＺは、結合または二価Ｃ1−Ｃ14アルキレン基、とりわけ好ましくは−Ｃ2Ｈ4−である。］を有する、請求項１に記載のポリマー組成物。
【請求項１３】
該ポリマー成分（Ａ）が、式（３）：
Ｒ23-c-dＳｉＲ3cＲ4d−［ＯＳｉＲ3Ｒ4］x−［ＯＳｉＲ3Ｒ4］y−ＯＳｉＲ3eＲ4fＲ23-e-f（３）
［式中、ｘは０〜１００００であり；ｙは０〜１０００であり；ｃ、ｄおよびｆは、０〜２から独立して選ばれ；Ｒ1は、Ｃ1−Ｃ10アルキル；１個もしくは複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ばれ、好ましくはメチル、ビニル、フェニルである、他のシロキサン単位は１０モル％未満の量で存在してもよく；Ｒ2は、ＯＨ、Ｃ1−Ｃ8アルコキシ、Ｃ2−Ｃ18アルコキシアルキル、オキシモアルキル、オキシモアリール、エノキシアルキル、エノキシアリール、アミノアルキル、アミノアリール、カルボキシアルキル、カルボキシアリール、アミドアルキル、アミドアリール、カルバマトアルキル、カルバマトアリール、またはその２種以上の組み合わせから選ばれ；Ｚは−Ｏ−、結合、または−Ｃ2Ｈ4−であり；Ｒ3およびＲ4は、同じシリコン原子上で同一でも異なっていてもよく、水素；Ｃ1−Ｃ10アルキル；Ｃ1−Ｃ10ヘテロアルキル、Ｃ3−Ｃ12シクロアルキル；Ｃ2−Ｃ30ヘテロシクロアルキル；Ｃ6−Ｃ13アリール；Ｃ7−Ｃ30アルキルアリール；Ｃ7−Ｃ30アリールアルキル；Ｃ4−Ｃ12ヘテロアリール；Ｃ5−Ｃ30ヘテロアリールアルキル；Ｃ5−Ｃ30ヘテロアルキルアリール；Ｃ2−Ｃ100ポリアルキレンエーテル；またはその２種以上の組み合わせから選ばれる。］を有する、請求項１に記載のポリマー組成物。
【請求項１４】
該ポリマー（Ａ）が、シリル化ポリウレタン（ＳＰＵＲ）、シリル化ポリエステル、シリル化ポリエーテル、シリル化ポリカルボナート、ポリエチレン、ポリプロピレンのようなシリル化ポリオレフィン、シリル化ポリエステルエーテルおよびその２種以上の組み合わせから選ばれる、請求項１に記載の組成物。
【請求項１５】
該架橋剤または鎖伸長剤（Ｂ）が、アルコキシシラン、アルコキシシロキサン、オキシモシラン、オキシモシロキサン、エノキシシラン、エノキシシロキサン、アミノシラン、アミノシロキサン、カルボキシシラン、カルボキシシロキサン、アルキルアミドシラン、アルキルアミドシロキサン、アリールアミドシラン、アリールアミドシロキサン、アルコキシアミノシラン、アルキルアリールアミノシロキサン、アルコキシカルバマトシラン、アルコキシカルバマトシロキサン、またはその２種以上の組み合わせから選ばれる、請求項１に記載の組成物。
【請求項１６】
該架橋剤または鎖伸長剤（Ｂ）が、オルトケイ酸テトラエチル（ＴＥＯＳ）；メチルトリメトキシシラン（ＭＴＭＳ）；メチルトリエトキシシラン；ビニルトリメトキシシラン；ビニルトリエトキシシラン；メチルフェニルジメトキシシラン；３，３，３−トリフルオロプロピルトリメトキシシラン；メチルトリアセトキシシラン；ビニルトリアセトキシシラン；エチルトリアセトキシシラン；ジ−ブトキシジアセトキシシラン；フェニルトリプロピオノキシシラン；メチルトリス（メチルエチルケトオキシモ）シラン；ビニルトリス（メチルエチルケトオキシモ）シラン；３，３，３−トリフルオロプロピルトリス（メチルエチルケトオキシモ）シラン；メチルトリス（イソプロペンオキシ）シラン；ビニルトリス（イソプロペンオキシ）シラン；ポリケイ酸エチル；ジメチルテトラアセトキシジシロキサン；オルトケイ酸テトラ−ｎ−プロピル；メチルジメトキシ（エチルメチルケトオキシモ）シラン；メチルメトキシビス（エチルメチルケトオキシモ）シラン；メチルジメトキシ（アセトアルドキシモ）シラン；メチルジメトキシ（Ｎ−メチルカルバマト）シラン；エチルジメトキシ（Ｎ−メチルカルバマト）シラン；メチルジメトキシイソプロペンオキシシラン；トリメトキシイソプロペンオキシシラン；メチルトリイソプロペンオキシシラン；メチルジメトキシ（ブタ−２−エン−２−オキシ）シラン；メチルジメトキシ（１−フェニルエテンオキシ）シラン；メチルジメトキシ−２−（１−カルボエトキシプロペンオキシ）シラン；メチルメトキシジ（Ｎ−メチルアミノ）シラン；ビニルジメトキシ（メチルアミノ）シラン；テトラ−Ｎ，Ｎ−ジエチルアミノシラン；メチルジメトキシ（メチルアミノ）シラン；メチルトリ（シクロヘキシルアミノ）シラン；メチルジメトキシ（エチルアミノ）シラン；ジメチルジ（Ｎ，Ｎ−ジメチルアミノ）シラン；メチルジメトキシ（イソプロピルアミノ）シラン；ジメチルジ（Ｎ，Ｎ−ジエチルアミノ）シラン；エチルジメトキシ（Ｎ−エチルプロピオンアミド）シラン；メチルジメトキシ（Ｎ−メチルアセトアミド）シラン；メチルトリス（Ｎ−メチルアセトアミド）シラン；エチルジメトキシ（Ｎ−メチルアセトアミド）シラン；メチルトリス（Ｎ−メチルベンズアミド）シラン；メチルメトキシビス（Ｎ−メチルアセトアミド）シラン；メチルジメトキシ（カプロラクタモ）シラン；トリメトキシ（Ｎ−メチルアセトアミド）シラン；メチルジメトキシ（エチルアセトイミダト）シラン；メチルジメトキシ（プロピルアセトイミダト）シラン；メチルジメトキシ（Ｎ，Ｎ'，Ｎ'−トリメチルウレイド）シラン；メチルジメトキシ（Ｎ−アリル−Ｎ'，Ｎ'−ジメチルウレイド）シラン；メチルジメトキシ（Ｎ−フェニル−Ｎ'，Ｎ'−ジメチルウレイド）シラン；メチルジメトキシイソシアナトシラン；ジメトキシジイソシアナトシラン；メチルジメトキシイソチオシアナトシラン；メチルメトキシジイソチオシアナトシラン、その縮合物、またはその２種以上の組み合わせから選ばれる、請求項１に記載の組成物。
【請求項１７】
接着促進剤成分（Ｄ）が、（アミノアルキル）トリアルコキシシラン、（アミノアルキル）アルキルジアルコキシシラン、ビス（トリアルコキシシリルアルキル）アミン、トリス（トリアルコキシシリルアルキル）アミン、トリス（トリアルコキシシリルアルキル）シアヌラート、トリス（トリアルコキシシリルアルキル）イソシアヌラート、（エポキシアルキル）アルキルジアルコキシシラン、（エポキシアルキル）トリアルコキシシラン、またはその２種以上の組み合わせから選ばれる、請求項１に記載の組成物。
【請求項１８】
充填剤成分（Ｅ）を含む、或いは、リン酸エステル、ホスホン酸エステル、ホスホン酸、亜リン酸、ホスファイト、亜ホスホン酸エステル、スルファート、スルファイト、擬似ハロゲニド、分岐Ｃ4−Ｃ25アルキルカルボン酸、またはその２種以上の組み合わせから選ばれる少なくとも１つの酸性化合物（Ｆ）を含む、請求項１に記載の組成物。
【請求項１９】
該組成物が、（ｉ）該ポリマー成分（Ａ）、場合によって充填剤成分（Ｅ）、および場合によって酸性化合物（Ｆ）を含む第１の部分と；（ｉｉ）該架橋剤（Ｂ）、該促進剤（Ｃ）、接着促進剤（Ｄ）、および酸性化合物（Ｆ）を含む第２の部分とを含む二液組成物であり、該成分（ｉ）および（ｉｉ）の混合による硬化に適用されるまで（ｉ）および（ｉｉ）は別々に貯蔵される、請求項１に記載の組成物。
【請求項２０】
請求項１に記載の組成物または方法から形成された、エラストマーシール、熱硬化性樹脂シール、接着剤、被膜、封止剤、成形物品、型または印象材の形態の、硬化ポリマー。